【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
原料である炭化水素および水蒸気を予熱する対流部コイルと、予熱された前記炭化水素および水蒸気の熱分解を行う輻射部コイルと、これらを収容する筐体を有するエチレン生成分解炉の輻射部コイル外表面温度の推定方法であって、
前記輻射部コイルの被撮像領域を撮像カメラで撮像する工程と、前記撮像カメラからの出力信号を画像解析装置で処理することにより撮像された前記輻射部コイルの外表面温度を推定する工程とを具備し、
前記撮像カメラは、ＲＧＢの各波長における各受光画素での輝度を出力するカラービデオカメラ、１μｍ以上３μｍ未満の単一波長における輝度を測定する単色ビデオカメラ、および、１μｍ以上３μｍ未満の第１波長および第２波長の輝度の比を測定する２センサーカメラのいずれかであることを特徴とするエチレン生成分解炉の輻射部コイル外表面温度の推定方法。
【請求項２】
前記撮像カメラによる前記被撮像領域は、前記輻射部コイルのうち複数の輻射部コイルにまたがる領域であることを特徴とする請求項１記載のエチレン生成分解炉の輻射部コイル外表面温度の推定方法。
【請求項３】
前記画像解析装置は、前記被撮像領域内における最高温度を推定することを特徴とする請求項１または２に記載のエチレン生成分解炉の輻射部コイル外表面温度の推定方法。
【請求項４】
前記画像解析装置は、前記撮像カメラからの前記出力信号を処理することにより、前記被撮像領域内でホットスポットを識別し、前記ホットスポットにおけるホットスポット温度を算出することを特徴とする請求項１〜３のいずれか１項に記載のエチレン生成分解炉の輻射部コイル外表面温度の推定方法。
【請求項５】
前記画像解析装置で推定した任意の位置での輻射部コイル外表面温度を前記任意の位置情報とともに、表示装置により表示することを特徴とする請求項１〜４のいずれか１項に記載のエチレン生成分解炉の輻射部コイル外表面温度の推定方法。
【請求項６】
原料である炭化水素および水蒸気を予熱する対流部コイルと、予熱された前記炭化水素および水蒸気の熱分解を行う輻射部コイルと、これらを収容する筐体とを有するエチレン生成分解炉に設けられ、前記輻射部コイルの被撮像領域を撮像する撮像カメラと、前記撮像カメラからの出力信号を処理することにより前記輻射部コイルの外表面温度を推定する画像解析装置とを具備し、前記撮像カメラは、ＲＧＢの各波長における各受光画素での輝度を出力するカラービデオカメラ、１μｍ以上３μｍ未満の単一波長における輝度を測定する単色ビデオカメラ、および、１μｍ以上３μｍ未満の第１波長および第２波長の輝度の比を測定する２センサーカメラのいずれかであることを特徴とするエチレン生成分解炉の輻射部コイル外表面温度の推定装置。
【請求項７】
前記撮像カメラによる前記被撮像領域は、前記輻射部コイルのうち複数の輻射部コイルにまたがる領域であることを特徴とする請求項６記載のエチレン生成分解炉の輻射部コイル外表面温度の推定装置。
【請求項８】
前記画像解析装置は、前記被撮像領域内における最高温度を推定する最高温度推定部を有していることを特徴とする請求項６または７記載のエチレン生成分解炉の輻射部コイル外表面温度の推定装置。
【請求項９】
前記画像解析装置は、前記撮像カメラからの前記出力信号を処理することにより、前記被撮像領域内でホットスポットを識別するホットスポット識別部と、前記ホットスポットにおけるホットスポット温度を算出するホットスポット温度算出部を具備していることを特徴とする請求項６〜８のいずれか１項に記載のエチレン生成分解炉の輻射部コイル外表面温度の推定装置。
【請求項１０】
前記画像解析装置で推定した任意の位置での輻射部コイル外表面温度を前記任意の位置情報とともに表示装置により表示することを特徴とする請求項６〜９のいずれか１項に記載のエチレン生成分解炉の輻射部コイル外表面温度の推定装置。
【請求項１１】
原料である炭化水素および水蒸気を予熱する対流部コイルと、予熱された前記炭化水素および水蒸気の熱分解を行う輻射部コイルと、これらを収容する筐体とを備えたエチレン生成分解炉を有し、さらに、
請求項６〜１０のいずれか１項に記載のエチレン生成分解炉の輻射部コイル外表面温度の推定装置を有することを特徴とするエチレン製造装置。
【請求項１２】
前記撮像カメラを水平に旋回させる水平駆動ユニットと、前記撮像カメラを垂直に旋回させる垂直駆動ユニットと、前記水平駆動ユニットおよび前記垂直駆動ユニットを駆動して前記撮像カメラの視野を左右に往復させつつ上下に移動して走査する制御システムとを具備し、前記画像解析装置は、前記撮像カメラが走査中に撮像した画像の出力信号を処理することにより前記輻射部コイルの外表面温度を推定することを特徴とする請求項６〜１０のいずれか１項に記載のエチレン生成分解炉の輻射部コイル外表面温度の推定装置。
【手続補正２】
【補正対象書類名】明細書
【補正対象項目名】０００８
【補正方法】変更
【補正の内容】
【０００８】
［１］  本発明に係るエチレン生成分解炉のコイル外表面温度の推定方法は、分解原料である炭化水素および水蒸気が供給されるコイルと、前記コイル内の混合流体を予熱する対流部と、前記コイルを輻射熱で加熱して前記原料を熱分解する輻射部と、これらを収容する筐体とを有するエチレン生成分解炉のコイル外表面温度の推定方法であって、前記コイルの被撮像領域を撮像カメラで撮像する工程と、前記撮像カメラからの出力信号を画像解析装置で処理することにより、前記コイルの温度を推定する工程とを具備し、前記撮像カメラは、ＲＧＢの各波長における各受光画素での輝度を出力するカラービデオカメラ、１μｍ以上３μｍ未満の単一波長における輝度を測定する単色ビデオカメラ、および、１μｍ以上３μｍ未満の第１波長および第２波長の輝度の比を測定する２センサーカメラのいずれかである。
【手続補正３】
【補正対象書類名】明細書
【補正対象項目名】００１２
【補正方法】変更
【補正の内容】
【００１２】
［６］  本発明に係るエチレン生成分解炉のコイル外表面温度の推定装置は、分解原料である炭化水素および水蒸気が供給されるコイルと、前記コイル内の混合流体を予熱する対流部と、前記コイルを輻射熱で加熱して前記原料を熱分解する輻射部と、これらを収容する筐体とを有するエチレン生成分解炉に設けられ、前記コイルの被撮像領域を撮像する撮像カメラと、前記撮像カメラからの出力信号を処理することにより前記コイルの温度を推定する画像解析装置とを具備し、前記撮像カメラは、ＲＧＢの各波長における各受光画素での輝度を出力するカラービデオカメラ、１μｍ以上３μｍ未満の単一波長における輝度を測定する単色ビデオカメラ、および、１μｍ以上３μｍ未満の第１波長および第２波長の輝度の比を測定する２センサーカメラのいずれかである。
【手続補正４】
【補正対象書類名】明細書
【補正対象項目名】００１６
【補正方法】変更
【補正の内容】
【００１６】
［１１］  本発明に係るエチレン製造装置は、分解原料である炭化水素および水蒸気が供給されるコイル、前記コイル内の混合流体を予熱する対流部、前記コイルを輻射熱で加熱して前記原料を熱分解する輻射部、およびこれらを収容する筐体とを備えたエチレン生成分解炉を有し、さらに、前記［６］〜［１０］のいずれかに記載したエチレン生成分解炉のコイル外表面温度の推定装置を有する。
［１２］  本発明に係るエチレン生成分解炉の輻射部コイル外表面温度の推定装置は、前記［６］〜［１０］のいずれかに記載した装置であって、前記撮像カメラを水平に旋回させる水平駆動ユニットと、前記撮像カメラを垂直に旋回させる垂直駆動ユニットと、前記水平駆動ユニットおよび前記垂直駆動ユニットを駆動して前記撮像カメラの視野を左右に往復させつつ上下に移動して走査する制御システムとを具備し、前記画像解析装置は、前記撮像カメラが走査中に撮像した画像の出力信号を処理することにより前記輻射部コイルの外表面温度を推定してもよい。